(57)【要約】【課題】互いに嵌合して電子機器の筐体１を形成するケース１１およびフタ２１間にガスケット５１を介装してなるシール構造であって、凸部３１をケース１１およびフタ２１の何れかに設けるとともに凹部３２を他方に設け、凸部先端面３１ａおよび凹部底面３２ａ間にガスケット５１を介装してなるシール構造において、ガスケット５１の剛性を高めてそのハンドリング性および組付け作業性を向上させる。【解決手段】ガスケット５１を粘着フィルム付ガスケットとする。粘着フィルム付ガスケットは、一面を粘着面５３とした粘着フィルム５２の他面にゴム状弾性体製のガスケット本体５５を一体化したものであって、粘着フィルム５２を凸部先端面３１ａに粘着するとともにガスケット本体５５を凹部底面３２ａに密接させる。【選択図】図１
2009074643.tif 000002
【特許請求の範囲】
【請求項１】
互いに嵌合して電子機器の筐体を形成するケースおよびフタの間にガスケットを介装してなるシール構造であって、前記ケースおよびフタの嵌合方向と平行な方向に立ち上がる凸部を前記ケースおよびフタの何れか一方の部材に設けるとともに前記凸部が係合する凹部を他方の部材に設け、前記凸部の先端面および前記凹部の底面間に前記ガスケットを介装してなるシール構造において、
前記ガスケットは、粘着フィルム付ガスケットよりなり、
前記粘着フィルム付ガスケットは、一面を粘着面とした粘着フィルムの他面にゴム状弾性体製のガスケット本体を一体化したものであって、前記粘着フィルムを前記凸部の先端面に粘着するとともに前記ガスケット本体を前記凹部の底面に密接させることを特徴とする電子機器のシール構造。
【請求項２】
請求項１記載のシール構造において、
粘着フィルムは、その幅方向端部に折り曲げ部を一体に有し、前記折り曲げ部を凸部の側面に粘着することによって前記凸部に対する平面方向の位置決めをなすことを特徴とする電子機器のシール構造。
【発明の詳細な説明】
【技術分野】
【０００１】
本発明は、電子機器のシール構造に係り、更に詳しくは、携帯電話端末等の電子機器の内部へ水滴が浸入しないようにシールする構造に関するものである。
【背景技術】
【０００２】
例えば携帯電話端末においては図３に示すように、互いに嵌合するケース１１およびフタ２１の組み合わせによって筐体１が形成されており、ケース１１およびフタ２１の間には筐体１の内部へ水滴が浸入しないようにガスケット（図示せず、図４参照）が介装されている。このガスケットの介装は従来一般に以下の構造とされている。
【０００３】
すなわち図４に示すように、ケース１１およびフタ２１の嵌合方向（図では上下方向）と平行な方向に立ち上がる凸部３１がフタ２１の下面に設けられるとともにこの凸部３１が係合する凹部３２がケース１１の上面に設けられ、この凸部３１の先端面３１ａと凹部３２の底面３２ａとの間にガスケット４１が介装されている。介装されるガスケット４１には、別体タイプのガスケットと、一体成形タイプのガスケットとがある。
【０００４】
このうち、別体タイプのガスケットは図４に示したように、ゴム状弾性体製のガスケット４１を単体で成形し、この単体で成形したガスケット４１をケース１１およびフタ２１の組付け時に凸部３１の先端面３１ａおよび凹部３２の底面３２ａ間に非接着のまま介装するものである。
【０００５】
また、一体成形タイプのガスケットは図示はしないが、ゴム状弾性体製のガスケットを凸部３１の先端面３１ａに一体成形し（したがって、ガスケットは成形と同時に凸部３１の先端面３１ａに接着されることになる）、この一体成形したガスケットをケース１１およびフタ２１の組付け時に凹部３２の底面３２ａに密接させるものである（下記特許文献１参照）。
【０００６】
しかしながら、上記別体タイプおよび一体成形タイプのガスケットにはそれぞれ、以下の不都合がある。
【０００７】
すなわち、別体タイプの場合、上記したようにガスケット４１は単体で成形されることから、成形してから組み付けるまでの間においてハンドリング性（取り扱い性）が良くなく、手際良く組み付けるのが困難である（柔らか過ぎて取り扱いにくい）。
【０００８】
また、一体成形タイプの場合、もの作りの工程においてケース１１およびフタ２１が出来上がってからガスケットを成形することになるので、筐体製作の工期が長くなってしまう。また電子機器のシール構造についてケース１１およびフタ２１の小型化・薄肉化が要求されている現在、ケース１１またはフタ２１にガスケットを一体成形するのは困難であり、しかもケース１１またはフタ２１を傷付けてしまう虞がある。
【０００９】
【特許文献１】特開平６−２９７４９７号公報
【発明の開示】
【発明が解決しようとする課題】
【００１０】
本発明は以上の点に鑑みて、上記のような凸部の先端面および凹部の底面間にガスケットを介装する構造につき、ガスケットの剛性を高めてそのハンドリング性および組付け作業性を向上させることができ、筐体製作の工期が長くなることがなく、小型・薄肉のケースまたはフタに対して組み付けることができ、ケースまたはフタを傷付けることもない電子機器のシール構造を提供することを目的とする。
【課題を解決するための手段】
【００１１】
上記目的を達成するため、本発明の請求項１によるシール構造は、互いに嵌合して電子機器の筐体を形成するケースおよびフタの間にガスケットを介装してなるシール構造であって、前記ケースおよびフタの嵌合方向と平行な方向に立ち上がる凸部を前記ケースおよびフタの何れか一方の部材に設けるとともに前記凸部が係合する凹部を他方の部材に設け、前記凸部の先端面および前記凹部の底面間に前記ガスケットを介装してなるシール構造において、前記ガスケットは、粘着フィルム付ガスケットよりなり、前記粘着フィルム付ガスケットは、一面を粘着面とした粘着フィルムの他面にゴム状弾性体製のガスケット本体を一体化したものであって、前記粘着フィルムを前記凸部の先端面に粘着するとともに前記ガスケット本体を前記凹部の底面に密接させることを特徴とするものである。
【００１２】
また、本発明の請求項２によるシール構造は、上記した請求項１記載のシール構造において、粘着フィルムは、その幅方向端部に折り曲げ部を一体に有し、前記折り曲げ部を凸部の側面に粘着することによって前記凸部に対する平面方向の位置決めをなすことを特徴とするものである。
【００１３】
上記構成の本発明は、ガスケットとして粘着フィルム付ガスケットを用い、粘着フィルム付ガスケットは、一面を粘着面とした粘着フィルムの他面にゴム状弾性体製のガスケット本体を一体化したものであって、粘着フィルムを凸部の先端面に粘着するとともにガスケット本体を凹部の底面に密接させることによりケースおよびフタ間に介装されるものである。したがってゴム単体ガスケットと比較して、ガスケット本体に粘着フィルムが付設されている分、ガスケットの剛性を高めることが可能とされている。
【００１４】
また、粘着フィルム付ガスケットは、その成形・製作後にケースおよびフタ間に組み付けられるものである。したがって粘着フィルム付ガスケットの成形・製作をケースおよびフタの製作と並行して行なうことが可能とされるとともに、ガスケットの成形時に必要とされる高熱がケースやフタに及ぶこともない。
【００１５】
また、粘着フィルムの幅方向端部に折り曲げ部を一体に設ける場合には、この折り曲げ部を凸部の側面に粘着することによって粘着フィルム延いてはガスケットを凸部に対して平面方向に位置決めすることが可能となる。
【発明の効果】
【００１６】
本発明は、以下の効果を奏する。
【００１７】
すなわち、本発明のシール構造においては上記したように、ガスケットとして粘着フィルム付ガスケットが用いられ、粘着フィルム付ガスケットは、一面を粘着面とした粘着フィルムの他面にゴム状弾性体製のガスケット本体を一体化したものであって、粘着フィルムを凸部の先端面に粘着するとともにガスケット本体を凹部の底面に密接させることによりケースおよびフタ間に介装されるものである。したがってゴム単体ガスケットと比較して、ガスケット本体に粘着フィルムが付設されている分、ガスケットの剛性を高めることが可能とされており、よってガスケットのハンドリング性および組付け作業性を向上させることができる。
【００１８】
また、粘着フィルム付ガスケットは、その成形・製作後にケースおよびフタ間に組み付けられるものである。したがって粘着フィルム付ガスケットの成形・製作がケースおよびフタの製作と並行して行なわれることから、筐体製作の工期が長くなるのを抑制することができ、ガスケットの成形に際して必要とされる高熱がケースやフタに及ばないことから、ケースやフタを傷付けることもない。
【００１９】
また、粘着フィルムの幅方向端部に折り曲げ部を一体に設ける場合には、この折り曲げ部を凸部の側面に粘着することによって粘着フィルム延いてはガスケットを凸部に対して平面方向に位置決めすることができることから、ガスケットの組付け作業性を一層向上させることができる。
【発明を実施するための最良の形態】
【００２０】
尚、本発明には、以下の実施形態が含まれる。
（１）ハンドリング性改善・工期短縮を満たすために、シール構造は粘着フィルム付ガスケットとケースを別で製作し、製品組立時にその場で接着処理を実施するようにする。
（２）また、粘着フィルムを折り曲げてフィルムを矯正する、あるいは癖付けする構造をとることで、ケースへの組付け性が更に容易となり、あらゆるケース形状に対応することを可能とする。
（３）粘着フィルム付ガスケットにすることで製品自体の剛性がアップし、ハンドリング性が非常に良くなる。また後貼り接着時の貼りズレは、ガスケットだけ後貼りするものに比べ精度が良くなる。
（４）また、防水用のシール部材のため、粘着剤が溶解したり変質したりする可能性が低いので、粘着フィルムとケースの境界面は粘着剤で十分シール機能を満足する。そのためガスケットでのシール箇所は、一体化するケース側ではなく、もう一方のケースの表面をシールするだけで良いため、ガスケット断面の小型化・ケースの小型化ができる。また、ガスケット組付け工程の自動化が可能となる。
【実施例】
【００２１】
つぎに本発明の実施例を図面にしたがって説明する。
【００２２】
第一実施例・・・
図１は、本発明の第一実施例に係るシール構造の要部断面を示している。
【００２３】
同図において、符号１１，２１は、互いに嵌合して電子機器の一種である携帯電話端末の筐体（外装ケース）１を形成するケースとフタであって、このケース１１とフタ２１の間にガスケット５１が介装されている。また一方のフタ２１の下面に、ケース１１およびフタ２１の嵌合方向（図では上下方向）と平行な方向に立ち上がった凸部（凸条部）３１がフタ周縁部に沿って設けられるとともに、他方のケース１１の上面に、凸部３１が係合する凹部（凹条部すなわち溝部）３２が同じくケース周縁部に沿って設けられ、この凸部３１の先端面３１ａと凹部３２の底面３２ａとの間にガスケット５１が介装されている。ケース１１およびフタ２１はそれぞれ所定の樹脂材料によって成形されている。
【００２４】
ガスケット５１は、粘着フィルム付ガスケットによって構成されている。この粘着フィルム付ガスケットは、一面を粘着面５３とした平面状の粘着フィルム５２の他面にゴム状弾性体製のガスケット本体５５を一体化したものであって、粘着フィルム５２を凸部３１の先端面３１ａに粘着するとともにガスケット本体５５を凹部３２の底面３２ａに密接させる構造とされている。
【００２５】
粘着フィルム５２は、所定の樹脂材料フィルムよりなり、その一面に粘着剤５４が塗布されて、この粘着剤５４が塗布された一面を粘着面５３とされている。したがって粘着フィルム５２は粘着剤５４の粘着性によって凸部３１の先端面３１ａに粘着されるものである。尚、粘着作業前、粘着面５３には剥離紙（図示せず）が粘着剤５４を覆うように貼り付けられており、粘着作業に際して剥離紙を剥がして粘着剤５４を露出させることになる。
【００２６】
また、ゴム状弾性体製のガスケット本体５５は、粘着フィルム５２の他面に一体成形（加硫接着）されており、平面状の基部（取付部）５６の幅方向中央に断面略山形ないし略三角形を呈するリップ部（シール部）５７が一体に設けられている。
【００２７】
粘着フィルム５２の幅寸法は、凸部３１の先端面３１ａの幅寸法と略等しく設定され、よって粘着フィルム５２は凸部３１の先端面３１ａの略全幅に亙って粘着されている。またガスケット本体５５の幅寸法は、粘着フィルム５２の幅寸法と略等しく設定され、よってガスケット本体５５は粘着フィルム５２の略全幅に亙って被着されている。
【００２８】
上記構成のシール構造において、粘着フィルム５２、粘着剤５４およびガスケット本体５５よりなる粘着フィルム付ガスケット５１は、上記剥離紙を含めてこれらの構成部品よりなる完成品として成形・製作され、成形・製作されてから凸部３１の先端面３１ａに粘着され、粘着されてから凸部３１と凹部３２が嵌め合わされてケース１１とフタ２１とが組み立てられることになり、上記シール構造は上記構成によって以下の作用効果を発揮する点に特徴を有している。
【００２９】
すなわち先ず、上記構成のシール構造においては上記したように、ガスケット５１として粘着フィルム付ガスケットが用いられ、この粘着フィルム付ガスケットは、一面を粘着面５３とした粘着フィルム５２の他面にゴム状弾性体製のガスケット本体５５を一体成形したものであって、粘着フィルム５２を凸部３１の先端面３１ａに粘着するとともにガスケット本体５５を凹部３２の底面３２ａに密接させることによってケース１１およびフタ２１間に介装されるものとされている。したがってゴム単体ガスケットと比較して、ガスケット本体５５に粘着フィルム５２が付設されている分、ガスケット５１全体としての剛性が高められていることから、ガスケット５１のハンドリング性および組付け作業性を向上させることができる。ゴム状弾性体製のガスケット本体５５に樹脂製の粘着フィルム５２が被着されるとガスケット５１全体が硬めになることから、この分取り扱い易くなる。
【００３０】
また、粘着フィルム付ガスケットは、その成形・製作後にケース１１およびフタ２１間に組み付けられるものであって、この粘着フィルム付ガスケットの成形・製作はケース１１およびフタ２１の製作と並行して行なうことが可能とされている。したがって上記一体成形タイプのガスケットの場合のように筐体製作の工期が長くなるのを抑制することができる。
【００３１】
また、粘着フィルム付ガスケットは単独で成形・製作されるものであって、ケース１１やフタ２１に一体成形されるものではない。したがってガスケットの成形時に必要とされる高熱がケース１１やフタ２１に及ぶことがないことから、上記一体成形タイプのガスケットの場合のように高熱によってケース１１やフタ２１が傷付けられるのを抑制することができる。
【００３２】
第二実施例・・・
図２は、本発明の第二実施例に係るシール構造の要部断面を示している。
【００３３】
同図において、符号１１，２１は、互いに嵌合して電子機器の一種である携帯電話端末の筐体（外装ケース）１を形成するケースとフタであって、このケース１１とフタ２１の間にガスケット５１が介装されている。また一方のフタ２１の下面に、ケース１１およびフタ２１の嵌合方向（図では上下方向）と平行な方向に立ち上がった凸部（凸条部）３１がフタ周縁部に沿って設けられるとともに、他方のケース１１の上面に、凸部３１が係合する凹部（凹条部すなわち溝部）３２が同じくケース周縁部に沿って設けられ、この凸部３１の先端面３１ａと凹部３２の底面３２ａとの間にガスケット５１が介装されている。ケース１１およびフタ２１はそれぞれ所定の樹脂材料によって成形されている。
【００３４】
ガスケット５１は、粘着フィルム付ガスケットによって構成されている。この粘着フィルム付ガスケットは、一面を粘着面５３とした平面状の粘着フィルム５２の他面にゴム状弾性体製のガスケット本体５５を一体化したものであって、粘着フィルム５２を凸部３１の先端面３１ａに粘着するとともにガスケット本体５５を凹部３２の底面３２ａに密接させる構造とされている。
【００３５】
粘着フィルム５２は、所定の樹脂材料フィルムよりなり、その一面に粘着剤５４が塗布されて、この粘着剤５４が塗布された一面を粘着面５３とされている。したがって粘着フィルム５２は粘着剤５４の粘着性によって凸部３１の先端面３１ａに粘着されるものである。尚、粘着作業前、粘着面５３には剥離紙（図示せず）が粘着剤５４を覆うように貼り付けられており、粘着作業に際して剥離紙を剥がして粘着剤５４を露出させることになる。
【００３６】
また、ゴム状弾性体製のガスケット本体５５は、粘着フィルム５２の他面に一体成形（加硫接着）されており、平面状の基部（取付部）５６の幅方向中央に断面略山形ないし略三角形を呈するリップ部（シール部）５７が一体に設けられている。
【００３７】
粘着フィルム５２の幅寸法は、凸部３１の先端面３１ａの幅寸法と略等しく設定され、よって粘着フィルム５２は凸部３１の先端面３１ａの略全幅に亙って粘着されている。またガスケット本体５５の幅寸法は、粘着フィルム５２の幅寸法と略等しく設定され、よってガスケット本体５５は粘着フィルム５２の略全幅に亙って被着されている。
【００３８】
また、粘着フィルム５２の幅方向一方の端部に折り曲げ部５８が一体に設けられている。この折り曲げ部５８は、粘着フィルム５２の幅寸法を増大してこの増幅部を折り曲げたものであって、この折り曲げ部５８が凸部３１の側面に粘着されることによって粘着フィルム５２延いてはガスケット５１全体の凸部３１に対する平面方向の位置決めがなされる構造とされている。折り曲げ部５８の一面はここにも粘着剤５４が塗布されて、この粘着剤５４が塗布された一面は粘着面５３の一部とされている。また、折り曲げ部５８はガスケット５１の全周に亙って設けられているが、周上一部の所々に複数が設けられるものであっても良い。更に凸部３１の側面には、この折り曲げ部５８を収めるための段差状の凹み部３１ｂが設けられている。
【００３９】
上記構成のシール構造において、粘着フィルム５２、粘着剤５４およびガスケット本体５５よりなる粘着フィルム付ガスケット５１は、上記剥離紙を含めてこれらの構成部品よりなる完成品として成形・製作され、成形・製作されてから凸部３１の先端面３１ａに粘着され、粘着されてから凸部３１と凹部３２が嵌め合わされてケース１１とフタ２１とが組み立てられることになり、上記シール構造は上記構成によって以下の作用効果を発揮する点に特徴を有している。
【００４０】
すなわち先ず、上記構成のシール構造においては上記したように、ガスケット５１として粘着フィルム付ガスケットが用いられ、この粘着フィルム付ガスケットは、一面を粘着面５３とした粘着フィルム５２の他面にゴム状弾性体製のガスケット本体５５を一体成形したものであって、粘着フィルム５２を凸部３１の先端面３１ａに粘着するとともにガスケット本体５５を凹部３２の底面３２ａに密接させることによってケース１１およびフタ２１間に介装されるものとされている。したがってゴム単体ガスケットと比較して、ガスケット本体５５に粘着フィルム５２が付設されている分、ガスケット５１全体としての剛性が高められていることから、ガスケット５１のハンドリング性および組付け作業性を向上させることができる。ゴム状弾性体製のガスケット本体５５に樹脂製の粘着フィルム５２が被着されている分、ガスケット５１全体が硬めに設定されているため、この分取り扱い易くなっている訳である。
【００４１】
また、粘着フィルム付ガスケットは、その成形・製作後にケース１１およびフタ２１間に組み付けられるものであって、この粘着フィルム付ガスケットの成形・製作はケース１１およびフタ２１の製作と並行して行なうことが可能とされている。したがって上記一体成形タイプのガスケットの場合のように筐体製作の工期が長くなるのを抑制することができる。
【００４２】
また、粘着フィルム付ガスケットは単独で成形・製作されるものであって、ケース１１やフタ２１に一体成形されるものではない。したがってガスケットの成形時に必要とされる高熱がケース１１やフタ２１に及ぶことがないことから、上記一体成形タイプのガスケットの場合のように高熱によってケース１１やフタ２１が傷付けられるのを抑制することができる。
【００４３】
更にまた、粘着フィルム５２の幅方向一方の端部に折り曲げ部５８が一体に設けられ、この折り曲げ部５８を凸部３１の側面に粘着することによって粘着フィルム５２延いてはガスケット５１全体を凸部３１に対して平面方向に位置決めすることが可能とされていることから、凸部３１に対する粘着フィルム５２延いてはガスケット５１全体の位置決めが容易化されている。したがってガスケット５１の組付け作業性を一層向上させることができる。
【００４４】
また、このように粘着フィルム５２の幅方向一方の端部に折り曲げ部５８が一体に設けられていれば、粘着フィルム５２の剛性が増大する。したがってこの点からも、ガスケット５１のハンドリング性および組付け作業性を向上させることができる。
【図面の簡単な説明】
【００４５】
【図１】本発明の第一実施例に係るシール構造の要部断面図
【図２】本発明の第二実施例に係るシール構造の要部断面図
【図３】携帯電話端末の一般構造を示す説明図
【図４】従来例に係るシール構造の要部断面図
【符号の説明】
【００４６】
１  筐体
１１  ケース
２１  フタ
３１  凸部
３１ａ  凸部先端面
３１ｂ  凹み部
３２  凹部
３２ａ  凹部底面
５１  ガスケット
５２  粘着フィルム
５３  粘着面
５４  粘着剤
５５  ガスケット本体
５６  基部
５７  リップ部
５８  折り曲げ部
【図１】
2009074643.tif 000003
【図２】
2009074643.tif 000004
【図３】
2009074643.tif 000005
【図４】
2009074643.tif 000006